(57)【要約】【課題】暗い室内に閉じ込められた際に室外に出るために必要な引戸等の解錠操作を容易かつ確実に行うことができる錠を提供すること。【解決手段】室外側から施解錠操作を行うための室外側操作部５，６と、室内側から少なくとも解錠操作を行うための室内側操作部１３と、室外側に設けた受光部５と、この受光部５において受光した光を室内に導入する光導入部１３とを備え、この光導入部１３を、前記室内側操作部１３自体または室内側操作部の近傍に設けた。【選択図】図２
2008308857.tif 000002
【特許請求の範囲】
【請求項１】
室外側から施解錠操作を行うための室外側操作部と、室内側から少なくとも解錠操作を行うための室内側操作部と、室外側に設けた受光部と、この受光部において受光した光を室内に導入する光導入部とを備え、この光導入部を、前記室内側操作部自体または室内側操作部の近傍に設けたことを特徴とする錠。
【請求項２】
前記室内側操作部による施錠操作を不可能としてある請求項１に記載の錠。
【請求項３】
前記室内側操作部が施錠位置と解錠位置とにわたって摺動する摘まみであり、解錠位置にある前記摘まみに対する施錠位置に摺動させるための接触を絶つ防壁を設けてある請求項１または２に記載の錠。
【発明の詳細な説明】
【技術分野】
【０００１】
この発明は、例えば、鍵操作による施解錠（本施解錠）に加えて、鍵操作によらない簡便な施解錠（仮施解錠）をも行えるようにした引戸等の錠に関し、特に、ミニハウスや物置、倉庫、ガレージ等の組立家屋のつき合わせ引戸に用いて好適な錠に関する。
【背景技術】
【０００２】
例えば屋外に設置された物置の引戸が解錠状態である場合、引戸自体は閉まっていても風などによる少しの衝撃や振動で開くことがあり、また、使用者は引戸を閉めたつもりでいても実際は引戸自体のリバウンドで開いていることもある。そして、人目につく環境で引戸が僅かにでも開いたまま無人で放置されている状況は窃盗を誘発しかねず、物置が無人となる間に引戸を解錠状態にしてあるのは、例えそれが短時間であっても防犯上決して好ましくない。
【０００３】
しかし、物置内外への物の入出作業を、作業者が物を抱えた状態で行ったり連続して行ったりする場合、鍵を用いた引戸の施解錠は必然的に困難化あるいは煩雑化するため、やむを得ず引戸が解錠状態のままの物置を短時間ながらも無人で放置するという状況は起こり得る。そこで、鍵操作を伴う本施解錠の他に、鍵操作が不要でワンタッチで行える仮施解錠をも可能とした錠が物置の引戸等に用いられている（特許文献１参照）。即ち、この錠を用いた物置では、夜間等の使用しない間は引戸を本施錠しておき、使用中は仮施解錠を利用することにより、高い防犯性と操作性の両立を図ることができる。
【０００４】
ここで、特許文献１における本施解錠および仮施解錠は、引戸に設けた錠ケースの側面から出没する掛金と、相手方の引戸または柱に設けられ前記掛金を掛止可能な受金具とを用いて施解錠する点では共通であり、鍵を用いて本施錠した場合に仮施解錠は不能となり本解錠した場合に仮施解錠が可能となる点で両者は異なる。
【０００５】
【特許文献１】特許第３６４７７４２号公報
【発明の開示】
【発明が解決しようとする課題】
【０００６】
ところで、作業の容易性や明るさから来る安心感などから物置の使用は専ら日中に行われることが多いとはいえ、日中であっても物置内部は比較的暗く、物置に入って作業をしている際に、例えば子供がいたずらで外から仮施錠したり、物置内に人がいることを知らずに誤って仮施錠することが考えられる。そして、この場合、物置内に閉じ込められた人はその暗さのために錠の場所を見失うなどし、解錠操作を行うことができなくなって物置から自力で出られなくなるという事故が発生する懸念がある。
【０００７】
本発明は上述の実情に鑑みてなされたもので、その目的は、暗い室内に閉じ込められた際に室外に出るために必要な引戸等の解錠操作を容易かつ確実に行うことができる錠を提供することにある。
【課題を解決するための手段】
【０００８】
上記目的を達成するために、本発明に係る錠は、室外側から施解錠操作を行うための室外側操作部と、室内側から少なくとも解錠操作を行うための室内側操作部と、室外側に設けた受光部と、この受光部において受光した光を室内に導入する光導入部とを備え、この光導入部を、前記室内側操作部自体または室内側操作部の近傍に設けたことを特徴としている（請求項１）。
【０００９】
また、本発明に係る錠が、前記室内側操作部による施錠操作を不可能としてあってもよく（請求項２）、具体的には、前記室内側操作部が施錠位置と解錠位置とにわたって摺動する摘まみであり、解錠位置にある前記摘まみに対する施錠位置に摺動させるための接触を絶つ防壁を設けてあってもよい（請求項３）。
【発明の効果】
【００１０】
請求項１〜３に係る発明では、暗い室内に閉じ込められた際に室外に出るために必要な引戸等の解錠操作を容易かつ確実に行うことができる錠が得られる。
【００１１】
すなわち、請求項１に係る発明では、日中であれば、室外に比べて暗い室内からであっても前記光導入部から導入した光を頼りに室内側操作部を操作して容易に解錠することができるので、室内に閉じ込められてしまうというような事故を確実に防ぐことができる。
【００１２】
加えて、請求項２，３に係る発明では以下の効果が得られる。すなわち、室内から本施解錠操作および仮施解錠操作のすべてを行えるようにした場合には、室内が暗いと解錠操作が非常に困難になるが、請求項２，３に係る発明では、室内からは室内側操作部による解錠操作のみしか行えないようにしてあるため、解錠操作が簡単であり、上記事故の防止をより効果的に図ることができる。
【発明を実施するための最良の形態】
【００１３】
以下、本発明の実施の形態について図面を参照しながら説明する。ここで、図１は本発明の一実施の形態に係る錠を設けた引戸の要部の構成を概略的に示す斜視図、図２は前記錠の施錠状態の構成を概略的に示す縦断面図、図３は前記錠の施錠状態の構成を概略的に示す部分透視正面図、図４は前記錠の解錠状態の構成を概略的に示す背面図、図５（Ａ）および（Ｂ）は仮施錠状態の前記錠の要部の構成を概略的に示す背面図および縦断面図、図６（Ａ）および（Ｂ）は仮解錠状態の前記錠の要部の構成を概略的に示す背面図および縦断面図、図７および図８は前記錠の仮解錠状態および仮施錠状態の構成を概略的に示す部分透視正面図、図９および図１０は前記錠の本解錠状態および本施錠状態の構成を概略的に示す部分透視正面図である。
【００１４】
まず、本実施形態に係る錠は、図１に示すように、物置等の組立家屋の引戸１に取り付けてあり、相手側の引戸２には受金具３を設けてある。尚、本実施形態では前記錠および受金具３をつき合わせ引戸１，２に設けてあるが、いずれか一方を引戸ではなく柱に設けてあってもよい。
【００１５】
また、図１および図２に示すように、前記錠は、引戸１の室外面側に化粧カバー４を備え、化粧カバー４の下部に設けた正面視略矩形状の開口４ａからは、操作レバー５が上下に摺動可能な状態で室外側に露出し、化粧カバー４の上部に設けた正面視略円形状の開口４ｂからは、キー溝６ａを前面に有する回動体（シリンダ）６が室外側に露出している。
【００１６】
ここで、前記操作レバー５は引戸１，２の仮施解錠をするためのものであり、操作レバー５を上下動させると、前記受金具３に掛止可能であり例えば板金材よりなる掛金７（図１および図２参照）が引戸１の側方に出没し、引戸１，２を閉じた状態で操作レバー５を上下動させれば仮施解錠することができる。
【００１７】
また、前記回動体６は引戸１，２の本施解錠をするためのものであり、回動体６のキー溝６ａに合鍵Ｋ（図２参照）を差し込んで回動操作すると前記掛金７が引戸１の側方に出没し、引戸１，２を閉じた状態で前記合鍵Ｋの回動操作を行えば本施解錠することができる。
【００１８】
すなわち、前記錠は、室外側から施解錠操作を行うための室外側操作部として前記操作レバー５および回動体６を有しているのであり、操作レバー５による仮施解錠と回動体６による本施解錠とは、施解錠のために掛金７を引戸１の側方に出没させて受金具３への掛止とその解除とを行わせる点では共通しているが、本施錠したときには仮施解錠は不可能となり、本解錠したときに仮施解錠が可能となる点で相違している。
【００１９】
一方、図２〜図４に示すように、前記錠は引戸１の室内面側に錠ケース８を備え、図３に示すように、この錠ケース８は、背壁８ａと、左右壁８ｂ，８ｃと、底壁８ｄとを有し、前側および上側には壁が無く、前側には前記化粧カバー４が装着される。そして、前記掛金７の出没作動（回動）を妨げないように、左壁８ｂの前部中央には切り欠き部８ｅを設けてある。
【００２０】
また、図２、図４並びに図５（Ａ）および（Ｂ）に示すように、前記錠ケース８の背壁８ａには、上から順に、背面が平らな上背壁部９と、背面が下側ほど奥まるように湾曲している湾曲壁部１０と、背面が平らで湾曲壁部１０との境界部分に段部１１ａを有する下背壁部１１とを設けてあり、湾曲壁部１０の下部から下背壁部１１の上部にかけて背面視略矩形状の開口１２を形成してある。そして、この開口１２からは、摘まみ１３が上下に摺動可能な状態で室内側に露出しており、この摘まみ１３は下背壁部１１の背面よりも後ろ側（室内側）へ突出しないように構成してある。
【００２１】
ここで、図２、図５（Ｂ）および図６（Ｂ）に示すように、摘まみ１３は前記操作レバー５と一体的に形成してあり、上述のように仮施解錠のために操作レバー５を上下動させると、図５（Ａ）、（Ｂ）並びに図６（Ａ）、（Ｂ）に示すように、摘まみ１３も同じく上下動することになる。
【００２２】
しかし、前記操作レバー５は上下動（仮施解錠）操作が可能であるのに対して、摘まみ１３は、図５（Ａ）および（Ｂ）に示す施錠位置から図６（Ａ）および（Ｂ）に示す解錠位置へと摺動（下動）させる仮解錠操作のみが可能となっている。その構造を具体的に述べると、図２、図４〜図６に示すように、前記下背壁部１１の段部１１ａの中央には前記摘まみ１３を受け入れる凹入部１１ｂを設けてあり、解錠位置にある摘まみ１３は凹入部１１ｂによってその左右両方および下方の三方が囲まれ、摘まみ１３の左右両側面および下面に触れることができない状態となる。換言すれば、前記凹入部１１ｂを有する下背壁部１１は、解錠位置にある前記摘まみ１３に対する施錠位置に摺動（上動）させるための接触を絶つ防壁となっている。
【００２３】
要するに、前記錠は、室内側から解錠操作を行うための室内側操作部として前記摘まみ１３を設けてあり、この摘まみ１３による施錠（仮施錠および本施錠）操作を不可能としてある上、摘まみ１３により行える解錠操作は仮解錠操作のみであって本解錠操作は不可能である。
【００２４】
次に、上述した仮施解錠をするための前記錠の具体的な構造について説明する。まず、図２および図３に示すように、前記錠ケース８内には、フレーム構造のシフター１４を上下に摺動可能に収納してあり、このシフター１４は、図３に示すように、錠ケース８の上方に突出する頭部１５と、この頭部１５の左右から垂下する二つの垂下部１６，１７と、二つの垂下部１６，１７の下部間に架設したブリッジ１８とを備えている。そして、ブリッジ１８の前後に前記操作レバー５および摘まみ１３を連設してある。ここで、シフター１４は錠ケース８の背壁８ａに沿わせて配置してあるので、錠ケース８の左壁８ｂの切り欠き部８ｅの内側をシフター１４の垂下部１６が塞いで掛金７の回動を妨げるということはない。
【００２５】
尚、前記シフター１４の頭部１５は摘まみ１３とともに上下動し、かつ錠ケース８の上方に突出（露出）しているので、理論的にはこの頭部１５を上下動操作することによっても仮施解錠することができる。しかし、図３に示すように、前記頭部１５の背面視は上側ほど細くなる台形状あるいは山状であって、頭部１５は手あるいは指で掴みにくい構造となっているので、頭部１５の押し下げ操作（仮解錠操作）は可能であるが、頭部１５を掴む必要のある引き上げ操作（仮施錠操作）は不可能となっている。すなわち、頭部１５も摘まみ１３と同様に、室内側から解錠操作を行うための室内側操作部に該当し、頭部１５による施錠（仮施錠および本施錠）操作を不可能としてある上、頭部１５により行える解錠操作は仮解錠操作のみであって本解錠操作は不可能である。
【００２６】
また、前記操作レバー５および摘まみ１３を有するシフター１４全体は、例えば透明または半透明の合成樹脂等、光透過性を有する部材により構成してある。
【００２７】
そして、掛金７は、図２および図３に示すように、支軸１９により錠ケース８の背壁８ａに回動自在に支持されている。また、図２および図３に示すように、掛金７の背面には突起２０を設けてあり、この突起２０はシフター１４の垂下部１６に設けた二つの係止爪２１，２２に係合可能となっている。さらに、図２および図３に示すように、掛金７の背面および錠ケース８の背壁８ａ前面の適宜位置に凸部２３，２４を設けてあり、これらの凸部２３，２４につる巻きばね２５を掛張してある。
【００２８】
続いて、上記構成を備えた錠の仮施解錠時の作動について説明する。まず、図７に示すように、錠が仮解錠状態にあるときには、操作レバー５および摘まみ１３を有するシフター１４はその摺動範囲における最下位置にあり、掛金７は前記つる巻きばね２５により図７に示す退没位置に止まるように付勢されている。
【００２９】
そして、仮施錠のために操作レバー５を解錠位置（図７参照）から施錠位置（図８参照）に摺動させると、操作レバー５と一体のシフター１４も上方に摺動する。そして、このとき、シフター１４の下方の係止爪２２が掛金７の突起２０を押し上げ、掛金７は支軸１９を中心に図７において時計回りに約９０度回転する。
【００３０】
上記の操作により錠が仮施錠状態になると、図８に示すように、シフター１４はその摺動範囲における最上位置に位置するとともに、掛金７は前記つる巻きばね２５により図８に示す進出位置に止まるように付勢されることになる。
【００３１】
また、逆に、仮解錠のために操作レバー５または摘まみ１３を施錠位置（図８参照）から解錠位置（図７参照）に摺動させると、操作レバー５と一体のシフター１４も下方に摺動する。そして、このとき、シフター１４の上方の係止爪２１が掛金７の突起２０を押し下げ、掛金７は支軸１９を中心に図８において反時計回りに約９０度回転し、錠は図７に示す仮解錠状態に戻る。
【００３２】
次に、上述した本施解錠をするための前記錠の具体的な構造について説明する。尚、この本施解錠するための構造は仮施解錠するための上記の構造を一部に利用するものであり、既に説明した部材についての重複する説明は以下では省略してある。
【００３３】
まず、図３に二点鎖線で示すように、前記錠ケース８の背壁８ａ上部の前面に支持部材２６をねじ止めで固定してあり、この支持部材２６により前記回動体６（図３参照）を支持してある。ここで、支持部材２６は、キー溝６ａに挿入した合鍵Ｋによってのみ回動体６を回動操作すことができるように回動体６を支持している。
【００３４】
また、図３に示すように、前記錠ケース８の背壁８ａ前面に沿わせて摺動子２７を収納してあり、この摺動子２７は背壁８ａに設けたガイド２８，２９に案内されて上下に摺動可能となっている。さらに、図２に示すように、前記支持部材２６により支持された回動体６と錠ケース８の背壁８ａとの間には、摺動子２７を上下に挿通させるための隙間を設けてあると共に、図２および図３に示すように、回動体６の背面には、摺動子２７の上部に設けた横長の溝２７ａに係止する係止突起６ｂを設けてある。
【００３５】
一方、図３中の拡大図に詳しく示すように、摺動子２７の下部左側には中空ブロック３０を設けてあり、この中空ブロック３０は、摺動ピン３１と、ピンガイド３２とを保持するものである。詳述すると、摺動ピン３１は小径部３１ａと大径部３１ｂとを有し、ピンガイド３２は一端が閉塞された略筒状の部材であり、ピンガイド３２の内部に摺動ピン３１の大径部３１ｂが挿入されている。また、中空ブロック３０には摺動ピン３１の小径部３１ａが挿通する小孔３０ａと、ピンガイド３２が挿入される大孔３０ｂとを設けてあると共に、大孔３０ｂ内には摺動ピン３１の大径部３１ｂを図３において右方向に付勢する第１ばね３３を収容してある。さらに、ピンガイド３２内にはピン３１の大径部３１ｂを図３において左方向に付勢する第２ばね３４を設けてあり、この第２ばねのばね定数は第１ばねのばね定数よりも大となっている。
【００３６】
他方、図３に示すように、摺動子２７の下部右側には摺動カム３５を枢支してあると共に、摺動子２７の摺動時に摺動カム３５に当接してこれを回動させるガイド３６を錠ケース８の背壁８ａ前面に突設してある。
【００３７】
さらに、図９および図１０に示すように、シフター１４の垂下部１６には前記摺動ピン３１の動きを規制する規制部３７を設けてあり、この規制部３７の中央には前記摺動ピン３１の進出を許容する切り欠き部分３７ａを形成してある。
【００３８】
続いて、上記構成を備えた錠の本施解錠時の作動について説明する。まず、図９に錠の本解錠状態を示しているが、錠の本解錠状態と仮解錠状態とは同一であり、シフター１４および掛金７は図７に示す状態と同じ状態にある。また、図９に示すように、錠が本解錠状態にあるときには、回動体６は係止突起６ｂが最下位置にある状態となっていると共に、摺動カム３５にガイド３６が当接せず、摺動ピン３１は中空ブロック３０内に収容された状態となっている。
【００３９】
そして、本施錠のためにキー溝６ａに挿入した合鍵Ｋを例えば時計回りに約１８０度回転させると、回動体６も同方向に約１８０度回転し、図１０に示すように回動体６の係止突起６ｂが最上位置に移動する。そして、この移動に伴い、係止突起６ｂに係止する溝２７ａを有する摺動子２７が上方に摺動し、この摺動に伴い、ガイド３６が摺動カム３５に当接しこれを図９において時計回りに回動させる。さらに、摺動カム３５はピンガイド３２を図９において左方向に付勢するので、図１０に示すように、摺動ピン３１が規制部３７の切り欠き部分３７ａ内に進出し、さらにこの規制部３７に係止して規制部３７を有するシフター１４全体を持ち上げる。
【００４０】
上記の操作により錠が本施錠状態になると、図１０に示すように、シフター１４はその摺動範囲における最上位置に位置するとともに、掛金７は前記つる巻きばね２５により図８に示す進出位置に止まるように付勢されることになる。そして、この本施錠状態では、シフター１４に設けた規制部３７が前記摺動ピン３１の係止により下がらなくなっているため、シフター１４に一体化してある操作レバー５および摘まみ１３の押し下げ操作、すなわち仮解錠操作は不可能となっている。
【００４１】
また、逆に、本解錠のためにキー溝６ａに挿入した合鍵Ｋを例えば反時計回りに約１８０度回転させると、回動体６も同方向に約１８０度回転し、図９に示すように回動体６の係止突起６ｂが最下位置に移動する。そして、この移動に伴い、係止突起６ｂに係止する溝２７ａを有する摺動子２７が下方に摺動し、この摺動に伴い、摺動ピン３１が規制部３７を有するシフター１４全体を押し下げた後、ガイド３６が摺動カム３５から離間するので、摺動カム３５によるピンガイド３２の上記付勢が解除され、錠は図９に示す本解錠状態に戻る。
【００４２】
上記の構成を有する錠では、前記シフター１４を光透過性の部材によって形成してあるので、室外側に設けた操作レバー５が受光部として機能し、前記シフター１４が操作レバー５において受光した光を室内側に伝達する光伝達部として機能し、摘まみ１３が前記光を室内に導入する光導入部として機能することになる。従って、日中であれば、室外に比べて暗い室内からであっても前記摘まみ１３から導入した光を頼りに摘まみ１３を操作して容易に解錠することができるので、室内に閉じ込められてしまうというような事故を確実に防ぐことができる。
【００４３】
また、上記の構成を備えた錠では、室内からは摘まみ１３あるいはシフター１４の頭部１５を用いた仮解錠操作のみしか行えないようにしてあるため、解錠操作が簡単であり、上記事故の防止をより効果的に図ることができる。
【００４４】
なお、本発明の錠は、上記の実施の形態に限られず、種々に変形して実施することができる。例えば、上記実施の形態では、光導入部として前記摘まみ１３のみを設けてあるが、摘まみ１３の近傍に別途光導入部を設けてあってもよい。すなわち、前記錠に、室外側に設けた受光部と、この受光部において受光した光を室内に導入する光導入部とを設け、この光導入部を、前記室内側操作部自体または室内側操作部の近傍に設けてあればよく、受光部、光導入部の具体的な構成は種々のものを採用することができる。その一例としては、前記化粧カバー４および錠ケース８の全体を光透過性を有する部材で形成することが挙げられる。
【図面の簡単な説明】
【００４５】
【図１】本発明の一実施の形態に係る錠を設けた引戸の要部の構成を概略的に示す斜視図である。
【図２】前記錠の施錠状態の構成を概略的に示す縦断面図である。
【図３】前記錠の施錠状態の構成を概略的に示す部分透視正面図である。
【図４】前記錠の解錠状態の構成を概略的に示す背面図である。
【図５】（Ａ）および（Ｂ）は仮施錠状態の前記錠の要部の構成を概略的に示す背面図および縦断面図である。
【図６】（Ａ）および（Ｂ）は仮解錠状態の前記錠の要部の構成を概略的に示す背面図および縦断面図である。
【図７】前記錠の仮解錠状態の構成を概略的に示す部分透視正面図である。
【図８】前記錠の仮施錠状態の構成を概略的に示す部分透視正面図である。
【図９】前記錠の本解錠状態の構成を概略的に示す部分透視正面図である。
【図１０】前記錠の本施錠状態の構成を概略的に示す部分透視正面図である。
【符号の説明】
【００４６】
１    引戸
５    操作レバー
６    回動体
１３    摘まみ
１４    シフター
【図１】
2008308857.tif 000003
【図２】
2008308857.tif 000004
【図３】
2008308857.tif 000005
【図４】
2008308857.tif 000006
【図５】
2008308857.tif 000007
【図６】
2008308857.tif 000008
【図７】
2008308857.tif 000009
【図８】
2008308857.tif 000010
【図９】
2008308857.tif 000011
【図１０】
2008308857.tif 000012